(57)【特許請求の範囲】
【請求項１】
磁気ヘッドのギャップに形成されているアジマス角が、アナログ方式とデジタル方式との双方の磁気記録媒体を単一の磁気ヘッドで記録再生できるように設定されている磁気ヘッドを用い、上記磁気記録媒体にデジタル信号を記録する場合は、ＤＶ方式におけるオッドトラック及びイーブントラックの２トラック分のデジタル信号を１トラックに収めるようにしたことを特徴とする磁気記録再生装置。
【発明の詳細な説明】
【０００１】
【発明の属する分野】
本発明は、デジタル信号及び／又はアナログ信号が記録されている磁気テープ等の磁気記録媒体に対して、これらの信号を記録再生するための磁気ヘッドを用いた磁気記録再生装置に関するものである。
【０００２】
【従来の技術】
近年、デジタルのビデオ信号及びデジタルのオーディオ信号を磁気テープに記録する家庭用のカメラ一体型デジタルビデオテープレコーダや家庭用の据置き型デジタルビデオテープレコーダが登場している。
【０００３】
このようなデジタル信号であるデジタルビデオテープレコーダの記録方式として、所謂ＤＶ方式と呼ばれるフォーマットがある（IEC 61834 helical scan digital video tape casette recording system using 6.35mm magnetic tape for cosumers (525/60,625/50,1125/60and1250/50systems）。このＤＶ方式では、使用するビデオテープのテープ幅が６．３５ｍｍ（＝１／４インチ）となっており、従来のアナログ信号であるアナログテープレコーダの記録方式（例えば８ｍｍ方式：IEC 60843 helical scan video tape cassette recording systems using 8mm magnetic tape for consumers）で使用するビデオテープのテープ幅より狭くなっている。これにも関わらず、ＤＶ方式では、記録する信号を圧縮すると共に記録密度を上げているので、従来の方式よりも高い画質で長時間の記録が可能になっている。
【０００４】
ところで、上記ＤＶ方式と従来のアナログビデオテープレコーダの記録方式（例えば８ｍｍ方式）との間では互換性は無いが、例えばこの従来の記録方式で使用するテープ幅の広いビデオテープに対して上記ＤＶ方式における信号を記録できれば、高品質の信号をより長時間に亘って記録することが可能になる。また、このように、従来の記録方式で使用するビデオテープに対してＤＶ方式の信号の記録再生が可能になれば、この従来の記録方式で使用するビデオテープやこれを記録再生する磁気記録再生装置の生産設備や部品等の資源を有効に利用できることにもなる。
【０００５】
【発明が解決しようとする課題】
しかし、従来の８ｍｍ方式においては、ビデオテープの記録再生のために使用される磁気ヘッドは、そのアジマス角が１０度以下に設定されている。
他方、上述したＤＶ方式においては、特にアジマス角に関する規定はないものの、従来のデジタル記録では、隣接トラックとの間で発生するクロストークの発生を抑えるために、一般にアジマス角が２０度以上に設定されている。
このため、従来のアナログ方式（８ｍｍ方式）とデジタル方式（ＤＶ方式）のビデオテープについては、双方のビデオテープを単一の磁気記録再生装置で再生等するためには、この磁気記録再生装置に、それぞれ専用の磁気ヘッドを設ける必要があった。従って、図８に示すように、双方の再生等を行なうための磁気記録再生装置においては、回転ドラムＤの周囲に沿って、８ｍｍ方式用の磁気ヘッドＡと、ＤＶ方式用の磁気ヘッドＢ、さらに消去ヘッドＣを組み込む必要があり、回転ドラム２の構造が複雑になり、コストが高くなってしまうという問題があった。
【０００６】
本発明は、以上の点に鑑み、簡単な構成で、且つコストが低減された、デジタル信号及び／又はアナログ信号の記録及び／又は再生用磁気ヘッドを用いた磁気記録再生装置を提供することを目的としている。
【０００７】
【課題を解決するための手段】
本発明の磁気記録再生装置は、磁気ヘッドのギャップに形成されているアジマス角が、アナログ方式とデジタル方式との双方の磁気記録媒体を単一の磁気ヘッドで記録再生できるように設定されている磁気ヘッドを用い、上記磁気記録媒体にデジタル信号を記録する場合は、ＤＶ方式におけるオッドトラック及びイーブントラックの２トラック分のデジタル信号を１トラックに収めるようにしたものである。
【０００８】
上記構成によれば、上記各磁気ヘッドのギャップに形成されているアジマス角が、アナログ方式とデジタル方式との双方の磁気記録媒体を単一の磁気ヘッドで記録再生できるように設定されているため、この磁気ヘッドは、デジタル信号及びアナログ信号共用の磁気ヘッドとなり、デジタル信号及び／又はアナログ信号の記録及び／又は再生が可能となる。
【００１３】
【発明の実施の形態】
以下、この発明の好適な実施形態を図１乃至図８を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００１４】
先づ、本発明の実施の形態にかかる磁気ヘッドによって信号であるビデオデータ及びオーディオデータ等をテープ状の磁気記録媒体である磁気テープに記録する記録方式について説明する。
この記録方式は、テープ幅が例えば８ｍｍの磁気テープに所謂ＤＶ方式のデジタル信号を記録する方式であり、ここでは、デジタル８ｍｍ方式と呼ぶものとする。
尚、以下に、この記録方式を説明するにあたり、従来より知られている記録方式であるＤＶ方式（IEC 61834 ）及び８ｍｍ方式（IEC 60843 ）と比較しながら説明する。
【００１５】
図１は、ＤＶ方式のデジタル信号を、ＤＶ方式で使用するテープ幅６．３５ｍｍの磁気テープ（以下、この磁気テープをＤＶテープという）に記録したときのトラックパターンを示している。
ＤＶ方式では、図１に示すように、テープ幅が６．３５ｍｍ（＝１／４インチ）のＤＶテープに対して、回転ドラムによりビデオ信号等が回転記録される。この回転ドラムには、例えば二つの磁気ヘッドが１８０度対向した位置に設けられている。そのため、この二つの磁気ヘッドがＤＶテープの走行方向に対して所定の角度をもって走査され、図１に示すように、トラックパターンが形成される。このＤＶ方式では、一方の磁気ヘッドで記録されたトラックをオッドトラックＯ１，Ｏ３，Ｏ５，Ｏ７，Ｏ９とし、他方の磁気ヘッドで記録されたトラックをイーブントラックＥ２，Ｅ４，Ｅ６，Ｅ８，Ｅ１０としたとき、オッドトラック５本及びイーブントラック５本の全部で１０本のトラックに、所謂ＮＴＳＣ方式に対応したビデオ信号の１フレーム分が記録される。尚、ＰＡＬ方式では、全部で１２本のトラックに１フレーム分のビデオ信号が記録される。
【００１６】
また、このＤＶ方式では、各トラックに記録するデータすべてに２４／２５変換が施される。記録するデータを２４／２５変換することによって、ＡＴＦ（Automatic Track Finding ）のためのパイロット信号がトラック全体に重畳される。そして、再生時にこのパイロット信号を検出することにより、磁気ヘッドのトラッキングを取ることができる。この２４／２５変換では、２４ビット（３バイト）毎のデータに対してエキストラビット（１ビット）を挿入することにより、記録するデータのデータ列に３つの周波数の低域パイロット成分を重畳している。
【００１７】
図２は、デジタル８ｍｍ方式のデジタル信号を、テープ幅が８ｍｍの磁気テープ（以下、この磁気テープを８ｍｍテープという）上に記録したときのトラックパターンを示している。
デジタル８ｍｍ方式では、ＤＶテープよりもテープ幅が広い８ｍｍテープに対して、デジタルのビデオ信号等が回転記録される。この８ｍｍテープは、従来のアナログのビデオ信号を記録する８ｍｍ方式（IEC 60843 ）で用いられている磁気テープと同一である。回転記録を行なうための回転ドラムには、従来のアナログの８ｍｍ方式と同様に、例えば二つの磁気ヘッドが回転中心を挟んで１８０度対向した位置に設けられている。そのため、二つの磁気ヘッドが８ｍｍテープの走行方向に対して所定の角度をもって走査され、図２に示すようになトラックパターンが形成される。
【００１８】
ここで、デジタル８ｍｍ方式では、８ｍｍテープの一つのトラックに対して、ＤＶ方式における２トラック分のデータを、ＤＶ方式のデータパターンのまま、連続して記録する。即ち、デジタル８ｍｍ方式では、ＤＶ方式におけるオッドトラックのデータとイーブントラックのデータとを組にして、データの内容は変えずに、一つのトラックに記録している。
例えば、デジタル８ｍｍ方式では、ＤＶ方式におけるオッドトラックＯ１データとイーブントラックＥ２のデータを組にして、一つのトラックに記録する。次のトラックには、オッドトラックＯ３のデータとイーブントラックＥ４のデータを組にして記録する。このようにして、８ｍｍテープ上の連続するトラックに対して、ＤＶ方式におけるそれぞれ連続する二つのトラックのデータを組にして記録する。
従って、デジタル８ｍｍ方式では、８ｍｍテープの５本のトラックに、ＮＴＳＣに対応したビデオ信号が１フレーム分記録される。また、８ｍｍテープの６本のトラックに、ＰＡＬに対応したビデオ信号が１フレーム分記録される。
尚、このデジタル８ｍｍ方式では、８ｍｍテープの一つのトラックに対してＤＶ方式における２トラック分のデータと共に拡張データが記録される。
また、デジタル８ｍｍ方式では、２４／２５変換を施すことにより、ＡＴＦのための３つの周波数のパイロット信号を各トラックに重畳している。
【００１９】
図３は、本発明の実施の形態にかかる磁気ヘッドを組み込んだ磁気記録再生装置の構成を示している。
磁気記録再生装置１０は、被写体を撮像してアナログビデオ信号を出力する撮像部１１と、撮像部１１により生成されたアナログビデオ信号をＤＶデータに変換し、また８ｍｍテープ１から読み出したＤＶデータをアナログビデオ信号に変換するＤＶデータ処理部１２と、８ｍｍテープ１の拡張エリアに記録する拡張データを生成し、また８ｍｍテープ１の拡張エリアから読み出した拡張データのデータ処理を行なう拡張データ処理部１３と、８ｍｍテープ１に対してデータの書込み及び読出しを行なう書込／読出部１４と、各部の制御を行なうメインコントローラ１５と、を備えている。
また、磁気記録再生装置１０は、アナログビデオ信号が出力されるビデオ出力端子１６と、オーディオ信号が入出力されるオーディオ入出力端子１７と、オーディオ入出力端子１７から入力されたオーディオ信号をＤＶデータ処理部１２または拡張データ処理部１３の何れかに切換えて供給し、またＤＶデータ処理部１２または拡張データ処理部１３の何れかから出力されたオーディオ信号を切換えてオーディオ入出力端子から出力するスイッチ１８と、を備えている。
【００２０】
撮像部１１は、例えばレンズ等の光学系と、ＣＣＤと、信号処理回路等の電気系とから構成される。この撮像部１１は、アナログのビデオ信号（輝度信号，赤色差信号，青色差信号）を生成し、このアナログのビデオ信号をＤＶデータ処理部１２に送る。
【００２１】
ＤＶデータ処理部１２には、記録時において、撮像部１１から送られたアナログのビデオ信号，オーディオ入出力端子１７を介して外部から供給されたアナログのオーディオ信号及びメインコントローラ１５から送られた付加情報が入力される。ＤＶデータ処理部１２は、記録時において、これらの信号及び情報をＤＶ方式に対応したデータフォーマットに変換し、ＤＶ方式における１トラック分のデータ毎に書込／読出部１４に送る。また、ＤＶデータ処理部１２は、再生時において、８ｍｍテープ１の通常エリアから読み出したＤＶデータが、書込／読出部１４から送られる。ＤＶデータ処理部１２は、再生時において、このＤＶデータから、ビデオデータ，オーディオデータ及び付加情報を分割する。ＤＶデータ処理部１２は、分割したビデオデータをアナログのビデオ信号に変換し、このアナログのビデオ信号をビデオ出力端子１６を介して外部に出力する。
また、ＤＶデータ処理部１２は、分割したオーディオデータをアナログのオーディオ信号に変換し、このアナログのオーディオ信号をオーディオ入出力端子１７を介して出力する。また、ＤＶデータ処理部１２は、分割した付加情報をメインコントローラ１５に送る。
【００２２】
拡張データ処理部１３には、記録時や音声のアフターレコーディング時において、オーディオ入出力端子１７を介して外部から供給されたオーディオ信号及びメインコントローラ１５から送られる付加情報が入力される。拡張データ処理部１３は、これらの信号及び情報を拡張エリアに記録するためのデータフォーマットに変換し、この拡張エリアに記録するための拡張データとして書込／読出部１４に送る。
また、拡張データ処理部１３には、再生時において、８ｍｍテープ１の拡張エリアから読み出した拡張データが、書込／読出部１４から送られる。拡張データ処理部１３は、この拡張データから、オーディオデータ及び付加情報を分割する。拡張データ処理部１３は、分割したオーディオデータをアナログのオーディオ信号に変換し、このアナログのオーディオ信号をオーディオ入出力端子１７を介して出力する。また、拡張データ処理部１３は、分割した付加情報をメインコントローラ１５に送る。
尚、拡張データ処理部１３は、記録する拡張データに２４／２５変換を施して、パイロット信号を記録している。このパイロット信号は、そのトラックに記録されるＤＶデータに記録されたパイロット信号と同一の周波数となる。
【００２３】
スイッチ１８は、記録時において、通常エリア内のオーディオ領域にオーディオ信号を記録する場合には、ＤＶデータ処理部１２側に端子を切換えてオーディオ信号をこのＤＶデータ処理部１２に供給する。また、スイッチ１８は、記録時やアフターレコーディング時に拡張エリア内の拡張データ領域にオーディオデータを記録する場合には、拡張データ処理部１３側に端子を切換えてオーディオ信号をこの拡張データ処理部１３に供給する。
また、スイッチ１８は、再生時において通常エリア内のオーディオデータを出力する場合には、ＤＶデータ処理部１２側に端子を切換えてこのＤＶデータ処理部１２から出力されるオーディオ信号をオーディオ入出力端子１７から送出する。また、スイッチ１８は、再生時において拡張エリア内のオーディオデータを出力する場合には、拡張データ処理部１３側に端子を切換えてこの拡張データ処理部１３から出力されるオーディオ信号をオーディオ入出力端子１７から送出する。
【００２４】
書込／読出部１４は、磁気ヘッドの切換え制御，回転ドラムの回転制御，８ｍｍテープ１の走行速度の制御等を行なって、通常エリア及び拡張エリアへのＤＶデータ及び拡張データの書込み及び読出しを行なう。
【００２５】
メインコントローラ１５は、ＤＶデータ処理部１２の制御，拡張データ処理部１３の制御，書込／読出部１４の制御，ＤＶデータ処理部１２及び拡張データ処理部１３に供給する付加情報の生成，８ｍｍテープ１から読み出した付加情報の処理等を行なう。また、メインコントローラ１５は、スイッチ１８の切換え制御も行なう。
【００２６】
ここで、上記書込／読出部１４には、図４に示すように、回転ドラム２０と、回転ドラム２０に取り付けられた二つの磁気ヘッド２１と、同様に回転ドラム２０に取り付けられた消去用ヘッドである消去ヘッド２２と、を含んでいる。
上記磁気ヘッド２１は、回転ドラム２０の回転中心を挟んで１８０度対向する位置に設けられている。
【００２７】
この磁気ヘッド２１は、回転ドラム２０が図示しない回転駆動手段によって回転駆動されることによって、長手方向に対して例えば４．８９９９の角度で８ｍｍテープ１上を走行し、信号の記録及び再生を行なう。磁気ヘッド２１は、回転ドラム２０の回転位置に応じて切換えられる。
この切換えは、図示しない制御部が生成するスイッチングパルスＳＷＰに同期して行なわれる。制御部は、回転ドラム２０の回転位相を示すＰＧ信号に基づいて、回転ドラム２０が１８０度回転する毎にハイ／ローが切換えられるスイッチングパルスＳＷＰを発生する。
これにより、スイッチングパルスＳＷＰがハイの期間は、一方の磁気ヘッド２１に切換えられて信号の記録または再生が行なわれ、スイッチングパルスＳＷＰがローの期間は、他方の磁気ヘッドにきり得えられて信号の記録または再生が行なわれるようになっている。
【００２８】
ここで、上記各磁気ヘッド２１は、図５に示すように、構成されている。
図５において、磁気ヘッド２１は、互いに接合された二つのコア半体３１，３２から成る磁気コアを含んでいる。
【００２９】
コア半体３１，３２は、それぞれフェライト等の磁性材料から構成されていると共に、互いに接合されるべき接合面のうち、少なくとも表面（磁気記録媒体に対する接触面）寄りの所謂ギャップ対向面が、その間に、ギャップ３３を画成するようになっている。
また、コア半体３１，３２は、その接合面に、それぞれコイルとして巻回される巻線を受容するための巻線溝３１ａ，３２ａと、接合ガラスが収容されるガラス溝３１ｂ，３２ｂを備えている。
【００３０】
ここで、このギャップ３３は、図６にて矢印Ｔで示す磁気記録媒体のトラック方向に関して傾斜するように、アジマス角θを備えるように、形成されている。さらに、ギャップ３３は、そのトラック幅方向に関して所定のギャップ長を有するように、コア半体３１，３２の側縁に形成されたトラック幅規制溝３４，３５により、規制されている。
【００３１】
各コア半体３１，３２は、図示の場合、ギャップ対向面及びトラック幅規制溝３４，３５の内面に、金属磁性膜３６，３７を備えている。
【００３２】
以上の構成は、従来の磁気ヘッドとほぼ同様の構成であるが、本発明による磁気ヘッド２１においては、上記アジマス角θが、ほぼ１０度、好ましくは１０度±３８分に設定されている。
【００３３】
本発明の実施の形態による磁気記録再生装置１０及び磁気ヘッド２１は、以上のように構成されており、特に、磁気ヘッド２１のアジマス角θがほぼ１０度に設定されていることから、記録時には、このアジマス角θが、ほぼ１０度に設定されている磁気ヘッド２１によって、８ｍｍテープに対して、ＤＶ方式のデータが記録される。また、この磁気ヘッド２１によりアナログビデオ信号の記録も可能となっている。
そして、再生時には、このアジマス角θがほぼ１０度に設定されている磁気ヘッド２１により、デジタル８ｍｍ方式の場合も、またアナログ８ｍｍ方式の場合も、磁気テープに記録されたビデオ信号が再生され得る。
【００３４】
ここで、出力劣化Ｌθは
【数１】
0004144093.tif 000002
で与えられ、出力劣化を３ｄＢとするとπＷｔａｎθ１／λ＝１．３９（Ｗはトラックピッチ２０μｍ，θ１はずれ角，λは記録波長０．５μｍ）となるので、ずれ角θ１＝３８分となる。
従って、アジマス角θを１０度±３８分に設定することによって、デジタル８ｍｍ方式の場合であっても、許容範囲内の出力劣化で、再生等することが可能になる。また、クロストーク問題も許容範囲内であった。
これにより、磁気記録再生装置１０において、デジタル信号及びアナログ信号共用の一組の磁気ヘッド２１を使用して、デジタル８ｍｍ方式の磁気テープであっても、またアナログ８ｍｍ方式の磁気テープであっても、記録及び再生することができ、回転ドラム２０の構成が簡単になり、コストが低減され得ることになる。
【００３５】
尚、上記実施形態においては、磁気ヘッド２１を組み込んだ磁気記録再生装置１０について説明したが、これに限らず、磁気再生装置に本発明を適用し得ることは明らかである。
【００３６】
【発明の効果】
以上述べたように、本発明によれば、簡単な構成で、且つコストが低減された、デジタル信号及び／又はアナログ信号の記録及び／又は再生用磁気ヘッド及びこれを用いた磁気記録再生装置を提供することができる。
【図面の簡単な説明】
【図１】ＤＶ方式のデジタル信号を、ＤＶ方式で使用するテープ幅６．３５ｍｍの磁気テープに記録したときのトラックパターンを示す概略図である。
【図２】ＤＶ方式のデジタル信号を、テープ幅８ｍｍの磁気テープ上に記録したときのトラックパターンを示す概略図である。
【図３】本発明の実施の形態にかかる磁気ヘッドを備えた磁気記録再生装置の構成を示すブロック図である。
【図４】図３の磁気記録再生装置における書込／読出部の回転ドラムを示す概略平面図である。
【図５】図４の書込／読出部の磁気ヘッドの一実施形態を示す概略斜視図である。
【図６】図５の磁気ヘッドの概略正面図である。
【図７】図５の磁気ヘッドによるアジマス角による出力劣化を示すグラフである。
【図８】従来のアナログ方式及びデジタル方式に対応した回転ドラムにおける磁気ヘッドの配置を示す概略平面図である。
【符号の説明】
１０・・・磁気記録再生装置、１１・・・撮像部、１２・・・ＤＶデータ処理部、１３・・・拡張データ処理部、１４・・・書込／読出部、１５・・・メインコントローラ、１６・・・ビデオ出力端子、１７・・・オーディオ入出力端子、１８・・・スイッチ、２０・・・回転ドラム、２１・・・磁気ヘッド、２２・・・消去ヘッド。
【図１】
0004144093.tif 000003
【図２】
0004144093.tif 000004
【図３】
0004144093.tif 000005
【図４】
0004144093.tif 000006
【図５】
0004144093.tif 000007
【図６】
0004144093.tif 000008
【図７】
0004144093.tif 000009
【図８】
0004144093.tif 000010